(57)【要約】【課題】電動機周りの空間に合わせて、排気の量や方向を容易に可変でき、効率良く排気することができる、汎用性の高い電動機冷却用ファンユニット、これを備えた電動機及び排気部ユニットを提供すること。【解決手段】電動機100を包囲可能な筒状のカバー2と、カバー2の内側に送風するように設けられるファン3と、を備え、ファン3からの風が、電動機100とカバーとの間の流路20を通って送られるように構成される電動機冷却用ファンユニット1であって、カバー2は、流路20の下流部分に排気部4を備え、排気部4は、流路20を外部と連通させる開放部46と、開放部46に対応して設けられ、開放部46を塞ぐ遮蔽位置と開放部46を開放する開放位置との間を移動可能な排気調整部材47,50と、を有し、排気調整部材47,50の移動量を調整することにより、開放部46から排気される流路20内の風の排気量及び／又は排気方向を調整可能に構成される。【選択図】図２
2019058000.tif 000002
【特許請求の範囲】
【請求項１】
電動機を包囲可能な筒状のカバーと、前記カバーの内側に送風するように設けられるファンと、を備え、前記ファンからの風が、前記電動機と前記カバーとの間の流路を通って送られるように構成される電動機冷却用ファンユニットであって、
前記カバーは、前記流路の下流部分に排気部を備え、
前記排気部は、
前記流路を外部に連通させる開放部と、
前記開放部に対応して設けられ、前記開放部を塞ぐ遮蔽位置と前記開放部を開放する開放位置との間を移動可能な排気調整部材と、を有し、
前記排気調整部材の移動量を調整することにより、前記開放部から排気される前記流路内の風の排気量及び／又は排気方向を調整可能に構成される、電動機冷却用ファンユニット。
【請求項２】
前記排気調整部材は、前記遮蔽位置と前記開放位置との間を、前記排気部の表面に沿う方向に移動可能に設けられる遮蔽板からなる、請求項１に記載の電動機冷却用ファンユニット。
【請求項３】
前記開放部は、前記排気調整部材に加えて、前記開放部からの排気を、前記流路内を流れる風の方向に対して折り返す方向に変更可能な邪魔板を有する、請求項２に記載の電動機冷却用ファンユニット。
【請求項４】
前記排気調整部材は、前記遮蔽位置と前記開放位置との間を揺動可能に設けられ、前記開放部からの排気角度を調整可能な角度調整板からなる、請求項１〜３のいずれか１項に記載の電動機冷却用ファンユニット。
【請求項５】
前記排気部は、前記カバーに対して別体に設けられる、請求項１〜４のいずれか１項に記載の電動機冷却用ファンユニット。
【請求項６】
請求項１〜５のいずれか１項に記載の電動機冷却用ファンユニットを備える、電動機。
【請求項７】
電動機を包囲可能な筒状のカバーと、前記カバーの内側に送風するように設けられるファンと、を備え、前記ファンからの風が、前記電動機と前記カバーとの間の流路を通って送られるように構成される電動機冷却用ファンユニットの前記カバーの下流位置に取り付けられることにより、前記電動機冷却用ファンユニットの一部を構成する排気部ユニットであって、
前記流路内を外部に連通させる開放部と、
前記開放部に対応して設けられ、前記開放部を塞ぐ遮蔽位置と前記開放部を開放する開放位置との間を移動可能な排気調整部材と、を有し、
前記排気調整部材の移動量を調整することにより、前記開放部から排気される前記流路内の風の排気量及び／又は排気方向を調整可能に構成される、排気部ユニット。
【請求項８】
前記排気調整部材は、前記遮蔽位置と前記開放位置との間を、前記排気部の表面に沿う方向に移動可能に設けられる遮蔽板からなる、請求項７記載の排気部ユニット。
【請求項９】
前記開放部は、前記排気調整部材に加えて、前記開放部からの排気を、前記流路内を流れる方向に対して折り返す方向に変更可能な邪魔板を有する、請求項８に記載の排気部ユニット。
【請求項１０】
前記排気調整部材は、前記遮蔽位置と前記開放位置との間を揺動可能に設けられ、前記開放部からの排気角度を調整可能な角度調整板からなる、請求項７〜９のいずれか１項に記載の排気部ユニット。
【発明の詳細な説明】
【技術分野】
【０００１】
本発明は、電動機冷却用ファンユニット、電動機及び排気部ユニットに関する。
【背景技術】
【０００２】
従来、電動機の性能（出力特性、トルク特性等）を向上させるため、図１４に示すように、電動機５０１をカバー５０２で包囲し、電動機５０１とカバー５０２との間にファン５０３によって風を送ることにより、電動機５０１を冷却する方法が知られている（例えば、特許文献１等参照）。ファン５０３からの風は、電動機５０１とカバー５０２との間を通って、電動機５０１の出力軸５０４の方向へ送られるため、冷却効率は高い。しかし、カバー５０２から出力軸５０４の方向へ排気された風は、電動機５０１が取り付けられているフランジの面（図示せず）に当たるため、このフランジの面まで冷却される。このため、電動機５０１の稼働状態によっては、電動機５０１が取り付けられる機械側に影響を与える懸念がある。一方、ファン５０３を逆方向に回転させることにより、電動機５０１側から風を吸い出す方法も知られている。しかし、この方法は、冷却効率が低いという問題がある。
【０００３】
この問題を改善するため、図１５に示すように、カバー５０２の下流側の端部（ファン５０３から遠い端部）に折り返し部５０５を設け、この折り返し部５０５によって、カバー５０２から排気された風を再びファン５０３側に折り返すことが行われている。これによれば、冷却効率を維持したまま、機械側に与える影響を抑えることができる。
【先行技術文献】
【特許文献】
【０００４】
【特許文献１】特開２０１５−１４４５３９号公報
【発明の概要】
【発明が解決しようとする課題】
【０００５】
電動機周りの空間は、その電動機が取り付けられる機械の構造や、軸構成、電動機が結合されるフランジの形状、その周りの壁構造等によって様々である。例えば、図１６Ａ、図１６Ｂに示すように、電動機５０１の出力軸５０４が機械６００に下向きに取り付けられ、電動機５０１のフランジ面の周りの側方空間が開放されている場合には、カバー５０２の外部に排気した風をファン５０３側へ折り返すよりも、図示するように、カバー５０２から側方空間に向けて放射状に排気する方が、抵抗が少なく、冷却効率は向上する。また、電動機が横向きに取り付けられる場合、図１７Ａ、図１７Ｂに示すように、フランジの形状によって、側方が開放されている方向と閉鎖されている方向とが存在する場合がある。この場合、電動機５０１の周囲のうちの開放されている空間に向けて排気する方が効率的である。
【０００６】
しかしながら、従来では、冷却効率を優先させようとすると、電動機周りの空間の状況に応じて排気方向が設定された専用のカバーを設計、製作しなくてはならず、コストが掛かる問題があった。
【０００７】
そこで、本発明は、電動機周りの空間に合わせて、排気の量や方向を容易に可変でき、効率良く排気することができる、汎用性の高い電動機冷却用ファンユニット、これを備えた電動機及び排気部ユニットを提供することを目的とする。
【課題を解決するための手段】
【０００８】
（１）  本発明に係る電動機冷却用ファンユニットは、電動機（例えば、後述の電動機１００）を包囲可能な筒状のカバー（例えば、後述のカバー２）と、前記カバーの内側に送風するように設けられるファン（例えば、後述のファン３）と、を備え、前記ファンからの風（例えば、後述の風Ｆ）が、前記電動機と前記カバーとの間の流路（例えば、後述の流路２０）を通って送られるように構成される電動機冷却用ファンユニット（例えば、後述の電動機冷却用ファンユニット１）であって、前記カバーは、前記流路の下流部分に排気部（例えば、後述の排気部ユニット４）を備え、前記排気部は、前記流路を外部に連通させる開放部（例えば、後述の開放部４６）と、前記開放部に対応して設けられ、前記開放部を塞ぐ遮蔽位置と前記開放部を開放する開放位置との間を移動可能な排気調整部材（例えば、後述の遮蔽板４７、角度調整板５０）と、を有し、前記排気調整部材の移動量を調整することにより、前記開放部から排気される前記流路内の風の排気量及び／又は排気方向を調整可能に構成される。
【０００９】
（２）  （１）に記載の電動機冷却用ファンユニットにおいて、前記排気調整部材は、前記遮蔽位置と前記開放位置との間を、前記排気部の表面（例えば、後述の表面４ａ）に沿う方向に移動可能に設けられる遮蔽板（例えば、後述の遮蔽板４７）からなるものであってもよい。
【００１０】
（３）  （２）に記載の電動機冷却用ファンユニットにおいて、前記開放部は、前記排気調整部材に加えて、前記開放部からの排気を、前記流路内を流れる風の方向（例えば、後述のＹ１方向）に対して折り返す方向（例えば、後述のＹ２方向、Ｘ１方向）に変更可能な邪魔板（例えば、後述の邪魔板４８）を有するものであってもよい。
【００１１】
（４）  （１）〜（３）のいずれかに記載の電動機冷却用ファンユニットにおいて、前記排気調整部材は、前記遮蔽位置と前記開放位置との間を揺動可能に設けられ、前記開放部からの排気角度を調整可能な角度調整板（例えば、後述の角度調整板５０）からなるものであってもよい。
【００１２】
（５）  （１）〜（４）のいずれかに記載の電動機冷却用ファンユニットにおいて、前記排気部は、前記カバーに対して別体に設けられるものであってもよい。
【００１３】
（６）  本発明に係る電動機は、（１）〜（５）のいずれかに記載の電動機冷却用ファンユニットを備える。
【００１４】
（７）  本発明に係る排気部ユニットは、電動機（例えば、後述の電動機１００）を包囲可能な筒状のカバー（例えば、後述のカバー２）と、前記カバーの内側に送風するように設けられるファン（例えば、後述のファン３）と、を備え、前記ファンからの風（例えば、後述の風Ｆ）が、前記電動機と前記カバーとの間の流路（例えば、後述の流路２０）を通って送られるように構成される電動機冷却用ファンユニット（例えば、後述の電動機冷却用ファンユニット１）の前記カバーの下流位置に取り付けられることにより、前記電動機冷却用ファンユニットの一部を構成する排気部ユニット（例えば、後述の排気部ユニット４）であって、前記流路を外部に連通させる開放部（例えば、後述の開放部４６）と、前記開放部に対応して設けられ、前記開放部を塞ぐ遮蔽位置と前記開放部を開放する開放位置との間を移動可能な排気調整部材（例えば、後述の遮蔽板４７、角度調整板５０）と、を有し、前記排気調整部材の移動量を調整することにより、前記開放部から排気される前記流路内の風の排気量及び／又は排気方向を調整可能に構成される。
【００１５】
（８）  （７）に記載の排気部ユニットにおいて、前記排気調整部材は、前記遮蔽位置と前記開放位置との間を、前記排気部の表面（例えば、後述の表面４ａ）に沿う方向に移動可能に設けられる遮蔽板（例えば、後述の遮蔽板４７）からなるものであってもよい。
【００１６】
（９）  （８）に記載の排気部ユニットにおいて、前記開放部は、前記排気調整部材に加えて、前記開放部からの排気を、前記流路内を流れる方向に対して折り返す方向に変更可能な邪魔板（例えば、後述の邪魔板４８）を有するものであってもよい。
【００１７】
（１０）  （７）〜（９）のいずれかに記載の排気部ユニットにおいて、前記排気調整部材は、前記遮蔽位置と前記開放位置との間を揺動可能に設けられ、前記開放部からの排気角度を調整可能な角度調整板（例えば、後述の角度調整板５０）からなるものであってもよい。
【発明の効果】
【００１８】
本発明によれば、電動機周りの空間に合わせて、排気の量や方向を容易に可変でき、効率良く排気することができる、汎用性の高い電動機冷却用ファンユニット、これを備えた電動機及び排気部ユニットを提供することができる。
【図面の簡単な説明】
【００１９】
【図１】本発明に係る電動機冷却用ファンユニットの一実施形態を示す斜視図である。
【図２】図１に示す電動機冷却用ファンユニットが取り付けられた電動機を示す斜視図である。
【図３】図２に示す電動機冷却用ファンユニットが取り付けられた電動機の縦断面図である。
【図４】図３中の(iv)−(iv)線に沿う断面図である。
【図５】開放部を半分だけ開放させるように遮蔽板の移動量が調整された状態を示す図である。
【図６Ａ】小開口部からなる開放部を遮蔽板によって全閉した状態を示す図である。
【図６Ｂ】小開口部からなる開放部を遮蔽板によって全開した状態を示す図である。
【図７】図６に示す遮蔽板に角度変更板を設けた態様を示す図である。
【図８Ａ】回転可能に設けた遮蔽板によって開放部を全閉した状態を示す図である。
【図８Ｂ】回転可能に設けた遮蔽板によって開放部を全開した状態を示す図である。
【図９Ａ】遮蔽板の上方に邪魔板を設けた態様を示す図である。
【図９Ｂ】邪魔板が開放部の上方を覆う状態を示す図である。
【図９Ｃ】邪魔板が開放部の上方から退避した状態を示す図である。
【図１０Ａ】遮蔽板の上方に邪魔板を設けた他の態様を示す図である。
【図１０Ｂ】邪魔板が開放部の上方を覆う状態を示す図である。
【図１０Ｃ】邪魔板が開放部の上方から退避した状態を示す図である。
【図１１】遮蔽板に代えて角度調整板を設けた排気部ユニットの斜視図である。
【図１２】角度調整板が設けられた開放部を示す斜視図である。
【図１３Ａ】角度調整板が開放部を全閉した状態を示す図である。
【図１３Ｂ】角度調整板が約４５°の角度で開放部を開放した状態を示す図である。
【図１３Ｃ】角度調整板が開放部を全開した状態を示す図である。
【図１４】従来の電動機冷却用ファンユニットの風の流れの一例を模式的に示す図である。
【図１５】従来の電動機冷却用ファンユニットの風の流れの他の一例を模式的に示す図である。
【図１６Ａ】従来の電動機冷却用ファンユニットの風の流れの更に他の一例を模式的に示す図である。
【図１６Ｂ】図１６Ａに示す電動機冷却用ファンユニットを電動機の出力軸の方向から見た図である。
【図１７Ａ】従来の電動機冷却用ファンユニットの風の流れの更に他の一例を模式的に示す図である。
【図１７Ｂ】図１７Ａに示す電動機冷却用ファンユニットを電動機の出力軸の方向から見た図である。
【発明を実施するための形態】
【００２０】
以下、本発明の実施形態について図面を用いて詳細に説明する。
図１は、本発明に係る電動機冷却用ファンユニットの一実施形態を示す斜視図である。図２は、図１に示す電動機冷却用ファンユニットが取り付けられた電動機を示す斜視図である。図３は、図２に示す電動機冷却用ファンユニットが取り付けられた電動機の縦断面図である。図４は、図３中の(iv)−(iv)線に沿う断面図である。
なお、以下の図面に記載した方向において、Ｘ軸方向は、電動機冷却用ファンユニット１の幅方向（横方向ともいう。）を示す。Ｘ軸方向におけるＸ１方向は、電動機冷却用ファンユニット１の一側方を示し、Ｘ２方向は、電動機冷却用ファンユニット１の他側方を示す。また、Ｙ軸方向は、電動機冷却用ファンユニット１の前後方向を示す。Ｙ軸方向は、電動機１００の出力軸１０１の軸方向でもある。Ｙ軸方向におけるＹ１方向は、電動機冷却用ファンユニット１の前方向を示し、Ｙ２方向は、電動機冷却用ファンユニット１の後方向を示す。更に、Ｚ軸方向は、電動機冷却用ファンユニット１の上下方向を示す。Ｚ軸方向におけるＺ１方向は、電動機冷却用ファンユニット１の上方向を示し、Ｚ２方向は、電動機冷却用ファンユニット１の下方向を示す。
【００２１】
図１、図２に示すように、電動機冷却用ファンユニット１（以下、単にファンユニット１という。）は、電動機１００を包囲可能な筒状のカバー２と、カバー２の内側に送風するように設けられるファン３と、カバー２の下流位置に配置され、ファン３からの風をファンユニット１の外部に排気する排気部ユニット４と、を備える。
【００２２】
カバー２は、電動機１００の出力軸１０１の軸方向（Ｙ軸方向）に沿って延びる筒状に形成されている。本実施形態に示すカバー２は、八角柱状に形成されているが、特に外形形状の制限はない。カバー２は、電動機１００の外周の形状に対応して、例えば円形状や四角形状等であってもよい。電動機１００は、出力軸１０１がファン３と反対側を向くように、カバー２の内側に収容されている。電動機１００の出力軸１０１側は、排気部ユニット４の内側を経て排気部ユニット４からはみ出している。排気部ユニット４からはみ出した電動機１００の端部に、フランジ部１０２が設けられている。
【００２３】
図１〜図３に示すように、カバー２は、上側の３面からなる第１部分２１と、下側の５面からなる第２部分２２とに分割可能である。第１部分２１と第２部分２２は、電動機１００を上下から挟むように包囲し、ボルト２３で締結されている。これにより、カバー２の内側に電動機１００の一部又は全部が収容される。
【００２４】
カバー２の内面には、電動機１００の外周面に当接可能な複数の当接部２４が突出している。当接部２４は、図３に示すように、電動機１００の外周面とカバー２の内面との間に、ファン３から送られる風の流路２０となる所定間隔の隙間を形成する。本実施形態では、４つの当接部２４が、八角柱形のカバー２の８つの内面のうちの１つおきの内面に配置されている。各当接部２４は、ファン３からの風の流れを阻害しないように、風の流れに沿う方向（Ｙ軸方向）に開放するように形成されている。
【００２５】
ファン３は、回転式モータを有する所謂ファンモータであり、カバー２の内側に送風することができるように、カバー２の上流側の端部に取り付けられている。ここで、本明細書において、上流及び下流は、ファン３から送られる風の流れ（Ｙ軸方向におけるＹ１方向に向かう流れ）を基準にした時の上流及び下流を指す。従って、上流とは、図中のＹ２方向であり、下流とは、図中のＹ１方向である。
【００２６】
排気部ユニット４は、カバー２と同じ八角柱状の筒状に形成されている。排気部ユニット４のＹ軸方向に沿う長さは、カバー２のＹ軸方向に沿う長さに比べて十分に短い。この排気部ユニット４は、カバー２とは別体に形成され、ファン３とは反対側のカバー２の下流位置に、具体的には、カバー２の下流側の端部と電動機１００のフランジ部１０２との間の位置に取り付けられている。これにより、排気部ユニット４は、カバー２を延長していると同時に、流路２０内の風を外部に排気するためのファンユニット１の排気部を構成している。排気部ユニット４とカバー２とは、ほとんど隙間なく突き合わされている。排気部ユニット４とカバー２との間には、必要に応じて、流路２０内からの風の漏れを防止するため、ガスケット等の密封部材を設けてもよい。
【００２７】
この排気部ユニット４も、カバー２と同様に、上側の３面からなる第１部分４１と、下側の５面からなる第２部分４２とに分割可能である。第１部分４１と第２部分４２は、カバー２と同様に、電動機１００を上下から挟むように包囲し、ボルト４３で締結されている。これにより、排気部ユニット４の内側に電動機１００が収容される。
【００２８】
排気部ユニット４の内面には、カバー２の当接部２４と周方向の同じ位置に、電動機１００の外周面に当接可能な複数の当接部４４が突出している。当接部４４は、カバー２の当接部２４と同様、風の流れに沿う方向（Ｙ軸方向）に開放するように形成されている。電動機１００に排気部ユニット４が設けられることにより、電動機１００の外周面とカバー２の内面との間の流路２０も、排気部ユニット４の内側まで延長されている。
【００２９】
排気部ユニット４の下流側の端部には、封鎖部４５が設けられている。封鎖部４５は、排気部ユニット４の８つの面を構成する板状部材の下流側の端部が、それぞれ内側に略直角に折り曲げられることによって形成されている。この封鎖部４５により、排気部ユニット４の内側まで延長された流路２０の下流側の端部は、実質的に封鎖されている。このため、流路２０内の風は、電動機１００の出力軸１０１の方向（Ｙ１方向）にほとんど漏れ出すことがなく、電動機１００が取り付けられる機械側に与える風の影響は制限される。
【００３０】
排気部ユニット４には、封鎖部４５に近接した位置に、流路２０を外部に連通させる開放部４６が形成されている。当接部４４が形成されている面では、開放部４６は、当接部４４の内側に開口するように形成されている。流路２０内の風は、これらの開放部４６のうちの１つ以上から外部に排気される。本実施形態に示す開放部４６は、矩形状の開口部からなり、排気部ユニット４の８つの面にそれぞれ１つずつ、合計８個形成されている。しかし、本発明において、開放部４６の数は本実施形態に示す８個に制限されない。開放部４６は、例えば、排気部ユニット４の１つの面につき、２つ以上設けられてもよいし、１つ以上の開放部４６が２つ以上の面に跨るように形成されてもよい。また、開放部４６の形状も矩形状に制限されない。
【００３１】
排気部ユニット４には、開放部４６に対応して、遮蔽板４７が設けられている。本実施形態に示す遮蔽板４７は、開放部４６の開口面積よりも大きな面積を有する矩形状の板状部材からなる。遮蔽板４７は、開放部４６を間に挟んで配置される２つの長穴からなるガイド穴４７ａを有している。ガイド穴４７ａは、Ｙ軸方向に沿って形成され、排気部ユニット４の表面（外面）４ａから突出するガイドピン４７ｂと係合している。これにより、遮蔽板４７は、ガイド穴４７ａがガイドピン４７ｂに案内されることにより、開放部４６を完全に覆う遮蔽位置（全閉）と、開放部４６を完全に開放する開放位置（全開）との間を、排気部ユニット４の表面４ａに沿ってＹ軸方向に移動可能である。遮蔽板４７は、本発明における「排気調整部材」の一例である。
【００３２】
この排気部ユニット４は、８つの遮蔽板４７のうちのいずれか１つ以上の遮蔽板４７が、上述のように開放位置に移動することにより、開放部４６が開放する（流路２０の内部と外部とが連通する）と、流路２０内の風を、その開放された開放部４６から外部に排気する。従って、この排気部ユニット４を有するファンユニット１は、開放位置に移動させる遮蔽板４７が選択されることにより、放射方向（Ｙ軸方向に直交する方向）の排気方向を任意に変更することができる。例えば、図１〜図４は、Ｘ１方向及びＸ２方向に面する２つの遮蔽板４７のみが、開放部４６を全開するように移動した状態を示している。その他の遮蔽板４７は、開放部４６を全閉している。このため、このファンユニット１において、流路２０内を流れる風は、図４に示すように、全開された２つの開放部４６から、流路２０と直交するＸ１方向及びＸ２方向にそれぞれ排気され、放射方向の排気方向が、この２方向のみに制限される。
【００３３】
また、遮蔽板４７は、遮蔽位置と開放位置とに移動するのみならず、遮蔽位置と開放位置との間の移動量を任意に調整することができる。これにより、開放部４６の開放面積が調整され、開放部４６からの排気量が調整可能である。例えば、図５に示すように、開放部４６が半分だけ開放するように遮蔽板４７の移動量が調整されると、この開放部４６からの排気量は、全開時の半分に制限される。
【００３４】
このように、遮蔽板４７の移動量が調整されると共に、開放部４６を開放させる１つ以上の遮蔽板４７が選択されることにより、ファンユニット１からの排気量及び放射方向の排気方向が調整される。従って、この排気部ユニット４を有するファンユニット１は、電動機１００の周りの空間の状況に応じて、排気の量や方向を容易に可変でき、ファン３からの風を効率良く排気させることができる。また、この排気部ユニット４及びファンユニット１は、１種類の構成で、電動機１００の周りの空間の様々な状況に対応することができるため、汎用性が極めて高い。更に、本実施形態に示す排気部ユニット４は、ファンユニット１のカバー２とは別体に形成されているため、既設のファンユニットに対して、後付けすることが可能であり、電動機１００の周りの空間に応じて排気の量や方向を容易に可変できるファンユニット１を容易に構成することができる。
【００３５】
排気部ユニット４の排気に関わる構成は、以上図示した構成に制限されず、図６〜図１０に示すように、様々に変更することができる。なお、以下の図６〜図１０は、発明の理解を容易にするため、開放部及び排気調整部材を有する排気部ユニット４の一つの面のみを示す。また、図１〜図５と同一符号の部位は、同一構成の部位であるため、それらの説明は上記説明を援用し、ここでは省略する。
図６Ａ、図６Ｂは、開放部４６が、複数の矩形状の小開口部４６ａによって構成される例を示している。複数の小開口部４６ａは、一定の間隔をおいて並列している。隣接する小開口部４６ａ、４６ａ同士の間隔は、１つの小開口部４６ａの幅と同じか、それよりも大きい。
【００３６】
一方、遮蔽板４７は、小開口部４６ａと同形状及び同間隔の複数の矩形状の開口部４７ｃを有している。遮蔽板４７のガイド穴４７ａは、Ｙ軸方向に略垂直な排気部ユニット４の周方向（図６Ａ、図６Ｂの上下方向）に沿って設けられている。ガイドピン４７ｂは、このガイド穴４７ａに係合している。従って、この遮蔽板４７は、ガイド穴４７ａがガイドピン４７ｂに案内されることにより、図６Ａに示すように、全ての小開口部４６ａを完全に覆う遮蔽位置（全閉）と、図６Ｂに示すように、全ての小開口部４６ａを完全に開放する開放位置（全開）との間を、排気部ユニットの４の周方向に移動可能である。また、この遮蔽板４７も、遮蔽位置と開放位置との間の移動量を調整することにより、各小開口部４６ａの開放面積を調整し、排気量を調整することができる。
【００３７】
図７は、図６に示した遮蔽板４７の開口部４７ｃに、角度変更板４７ｄを設けた例を示している。角度変更板４７ｄは、開口部４７ｃに対応して、矩形状の開口部４７ｃの４つの辺のうちのＹ軸方向に沿う一方の辺の近傍に設けられている。全ての角度変更板４７ｄは、それぞれ同じ向きに、約４５°の角度で傾斜している。このため、遮蔽板４７が全ての小開口部４６ａを開放するように移動した際、小開口部４６ａから排気される風の向きは、角度変更板４７ｄによって排気部ユニット４の周方向に変更される。
【００３８】
角度変更板４７ｄの角度は、調整可能であってもよい。また、図示しないが、角度変更板４７ｄは、小開口部４６ａから排気される風の向きを、折り返す方向（Ｙ２方向）に変更するように構成されてもよい。
【００３９】
図８Ａ、図８Ｂは、開放部４６に、遮蔽板４７を回転移動可能に設けた例を示している。遮蔽板４７は、排気部ユニット４の表面４ａに、回転軸４７ｅを中心にして回転可能に取り付けられている。従って、この遮蔽板４７は、図８Ａに示すように、開放部４６を完全に覆う遮蔽位置（全閉）と、図８Ｂに示すように、開放部４６を完全に開放する開放位置（全開）との間を、排気部ユニット４の表面４ａに沿って回転移動することができる。また、この遮蔽板４７も、回転移動量を遮蔽位置と開放位置との間で調整して開放部４６の開放面積を調整することにより、排気量を調整することができる。
【００４０】
図９Ａ〜図９Ｃは、図１〜図５に示した開放部４６及び遮蔽板４７に邪魔板４８を設けた例を示している。邪魔板４８は、遮蔽板４７と同様、矩形状の板状部材からなり、ガイドピン４７ｂと係合するガイド穴４８ａを有している。邪魔板４８は、ガイドピン４７ｂの外周に設けられたスペーサ部材４９を挟んで、遮蔽板４７の上方に取り付けられている。従って、この邪魔板４８は、ガイド穴４８ａがガイドピン４７ｂに案内されることにより、開放部４６から僅かに距離をおいた外方を覆う位置と、開放部４６の外方から退避する位置との間を、排気部ユニット４の表面４ａに沿ってＹ軸方向に移動可能である。
【００４１】
図９Ａ、図９Ｂにおいて、遮蔽板４７は開放部４６を全開し、邪魔板４８は開放部４６の外方を完全に覆っている。このとき、開放部４６から排気された風は、邪魔板４８に衝突することによって向きが変えられ、流路２０内を流れる風の向き（Ｙ１方向）に対して折り返す方向（Ｙ２方向）に排出される。一方、図９Ｃにおいて、邪魔板４８は開放部４６の外方から退避している。このとき、開放部４６から排気された風は、邪魔板４８に衝突することはないため、開放部４６からそのまま排気部ユニット４の側方に向けて排出される。従って、この邪魔板４８を有する排気部ユニット４は、邪魔板４８の移動量を適宜調整することにより、開放部４６から排気される風の向きを、側方と折り返す方向との間で調整することができる。
【００４２】
図１０Ａ〜図１０Ｃは、図９Ａ〜図９Ｃに示すスペーサ部材が邪魔板の機能を兼ねる例を示している。即ち、ガイドピン４７ｂの外周に設けられるスペーサ部材は、開放部４６の外方に向けて大きく張り出す板状に形成されることよって、邪魔板４８０を構成している。本実施形態では、２つのガイドピン４７ｂに対応する２つの邪魔板４８０が設けられている。各邪魔板４８０は、開放部４６のおよそ半分の領域を覆うことができる大きさを有している。邪魔板４８０は、ガイドピン４７ｂを中心にして、開放部４６から僅かに距離をおいた外方を覆う位置と、開放部４６の外方から退避する位置との間を、排気部ユニット４の表面４ａに沿って回転移動可能である。従って、２つの邪魔板４８０、４８０が、開放部４６の外方を覆う位置にあるとき、図１０Ａに示すように、開放部４６の外方は、２つの邪魔板４８０、４８０によって覆われる。
【００４３】
図１０Ａ、図１０Ｂにおいて、遮蔽板４７は開放部４６を全開し、２つの邪魔板４８０、４８０は、開放部４６の外方を完全に覆っている。このとき、開放部４６から排気された風は、２つの邪魔板４８０、４８０に衝突することによって向きが変えられ、流路２０内を流れる風の方向（Ｙ１方向）に対して折り返す方向（Ｙ２方向）に排出される。各邪魔板４８０における遮蔽板４７側の面４８０ａは、開放部４６との間に風の流路が形成されるように、テーパー状に形成されている。一方、図１０Ｃにおいて、２つの邪魔板４８０、４８０は開放部４６の外方から退避している。このとき、開放部４６から排気された風は、邪魔板４８０に衝突することはないため、開放部４６からそのまま排気部ユニット４の側方に向けて排出される。従って、この邪魔板４８０を有する排気部ユニット４も、邪魔板４８を有する排気部ユニット４と同様、邪魔板４８０の移動量を適宜調整することにより、開放部４６から排気される風の向きを、側方と折り返す方向との間で調整することができる。
【００４４】
図１１、図１２は、遮蔽板の代わりに、角度調整板５０が設けられた排気部ユニット４の一例を示している。角度調整板５０は、開放部４６の開口面積と同じ面積又は開放部４６よりも大きい面積を有する矩形状の板状部材からなる。開放部４６の下流側の排気部ユニット４の表面４ａに、排気部ユニット４の周方向に沿って延びる回動軸５０ａが設けられている。角度調整板５０は、この回動軸５０ａに回転可能に取り付けられ、図１２に示すように、回動軸５０ａを中心にして上流側（Ｙ２方向側）に回動可能である。これにより、角度調整板５０は、開放部４６を遮蔽する遮蔽位置（全閉）と、開放部４６を開放する開放位置（全開）との間で揺動可能である。角度調整板５０は、本発明における「排気調整部材」の他の一例である。
【００４５】
角度調整板５０は、揺動角度を調整することにより、開放部４６からの排気の有無及び排気角度を調整することができる。即ち、図１３Ａは、角度調整板５０が開放部４６を全閉した状態を示している。このとき、この開放部４６からは排気されない。図１３Ｂは、角度調整板５０が、排気部ユニット４の表面４ａに対して約４５°の角度で開放部４６を開放した状態を示している。このとき、この開放部４６から排気された風は、角度調整板５０に衝突することにより、折り返す方向（Ｙ２方向）に斜めに排気される。図１３Ｃは、角度調整板５０が開放部４６を全開した状態を示している。このとき、この開放部４６から排気された風は、角度調整板５０に衝突することはないため、開放部４６からそのまま排気部ユニット４の側方に向けて排出される。
【００４６】
このように、角度調整板５０を有する排気部ユニット４は、１つ以上の角度調整板５０が開放部４６を開放するように揺動すると、流路２０内の風を、その開放された開放部４６から排気する。これと同時に、角度調整板５０の揺動角度が調整されることにより、開放部４６からの排気角度も調整される。従って、この排気部ユニット４を、図２と同様にして、カバー２の下流位置に取り付けることにより、放射方向の排気方向を任意に選択することができると共に、開放部４６からの排気角度を任意に調整することができるファンユニット１を構成することができる。
【００４７】
角度調整板５０の揺動角度を調整するための機構は、図示しないが、ラチェット機構の他、角度調整板５０と回動軸５０ａとの摩擦によって揺動角度を調整する機構等、公知の機構を用いることができる。
【００４８】
以上の実施形態は、カバー２と別体に形成される排気部ユニット４を例示したが、本発明はこれに制限されない。本発明に係るファンユニットは、排気部ユニット４と同じ機能を有する排気部が、ファンユニット１のカバー２の下流位置に一体に設けられていてもよい。
【符号の説明】
【００４９】
１  電動機冷却用ファンユニット
２  カバー
２０  流路
３  ファン
４  排気部ユニット（排気部）
４６  開放部
４７  遮蔽板（排気調整部材）
４８  邪魔板
５０  角度調整板（排気調整部材）
１００  電動機
Ｆ  風
【図１】
2019058000.tif 000003
【図２】
2019058000.tif 000004
【図３】
2019058000.tif 000005
【図４】
2019058000.tif 000006
【図５】
2019058000.tif 000007
【図６Ａ】
2019058000.tif 000008
【図６Ｂ】
2019058000.tif 000009
【図７】
2019058000.tif 000010
【図８Ａ】
2019058000.tif 000011
【図８Ｂ】
2019058000.tif 000012
【図９Ａ】
2019058000.tif 000013
【図９Ｂ】
2019058000.tif 000014
【図９Ｃ】
2019058000.tif 000015
【図１０Ａ】
2019058000.tif 000016
【図１０Ｂ】
2019058000.tif 000017
【図１０Ｃ】
2019058000.tif 000018
【図１１】
2019058000.tif 000019
【図１２】
2019058000.tif 000020
【図１３Ａ】
2019058000.tif 000021
【図１３Ｂ】
2019058000.tif 000022
【図１３Ｃ】
2019058000.tif 000023
【図１４】
2019058000.tif 000024
【図１５】
2019058000.tif 000025
【図１６Ａ】
2019058000.tif 000026
【図１６Ｂ】
2019058000.tif 000027
【図１７Ａ】
2019058000.tif 000028
【図１７Ｂ】
2019058000.tif 000029